(57)【要約】      （修正有）【課題】マンション、１戸建て住宅における、住居部、玄関、キッチンに設置され、一定の収納スペースを有効活用し、物品の大きさ、形状、重量、使用頻度、季節に応じて整理整頓が容易かつ確実に収納が行え、また奧に収納された物品の所在の確認が容易に行えるようにした物品収納棚を提供する。【解決手段】側板２，２間、または側板と仕切板３との間に架設される数段の棚板１・・・のうち、同一高さの棚板１が、その奥域方向Ｗに複数枚、手前側および奥側の棚板１Ａ，１Ｂに分割して形成され、該手前側および奥側の棚板が、それぞれ係止手段により着脱可能に構成されている。【選択図】図１
0003167560.tif 000002
【実用新案登録請求の範囲】
【請求項１】
側板間、または前記側板と仕切板との間に架設される数段の棚板のうち、同一高さの棚板が、その奥域方向に手前側および奥側に分割して形成され、該手前側および奥側の棚板が、それぞれ係止手段により着脱可能に構成されていることを特徴とする物品収納棚。
【請求項２】
同一高さの前記棚板が、手前側および奥側の何れか一側、或いは手前側および奥側の全てが取外されるように構成されていることを特徴とする請求項１に記載の物品収納棚。
【考案の詳細な説明】
【技術分野】
【０００１】
本考案は物品収納棚に関し、例えばマンション、１戸建て住宅における、住居部、玄関、キッチンに最適に設置され、一定の収納スペースを有効活用し、物品の大きさ、形状、重量、使用頻度、季節に応じて整理整頓が容易かつ確実に収納が行え、また奧に収納された物品の所在の確認が容易に行えるようにした。
【背景技術】
【０００２】
従来、例えば住宅に設置される収納棚として、例えば天板、底板、裏板および左右の側板と、該一対の側板の対向する板面にはそれぞれ複数個のダボ穴が水平に配列され、各棚板の左右の木端には案内溝が長手方向にそれぞれ形成され、一端を前記ダボ穴に着脱可能に植立されたダボピンの他端が、対応する棚板の前記案内溝に摺動可能に係合され、ダボピンの植設位置を変化させることにより前記棚板が水平に配置されるものがあった（例えば特許文献１参照）。
【先行技術文献】
【特許文献】
【０００３】
【特許文献１】特許第３０２３６７０号公報
【考案の概要】
【考案が解決しようとする課題】
【０００４】
しかしながら、特許文献１に記載された従来の収納棚では、左右の側板間にダボピンとダボ穴とにより配置される棚板は同一高さのものが、幅方向に単一部材により構成されているので、物品の大きさ、すなわち、大きい物品や背の高い物品を前記棚板の手前に収納し、小さい物品や背が低い物品は棚板の奧に収納されると、必要時に外部から棚板の奧に収納された所望の小さな物品を探し出すのに時間および手間がかかった。また、例えば使用頻度が高い物品や季節毎に使用される物品を奧から手前、または手前から奧へと入れ替え作業を行うのには、同一高さの棚板から全ての物品を外部に取り出し、その後に奧に収納するものと、手前に収納するものとの仕分けをしてから収納棚に収納しなければならないので、多くの時間および手間がかかっていた。
【０００５】
そして、上下方向の収納棚間の空間域からはみ出すような大きなものや長尺物の物品は、各棚板の左右の木端に設けられた案内溝内に摺動自在に係合されているダボピンを案内溝内において摺動させることにより幅方向に単一部材により構成されている棚板を垂直に配置することにより収納棚の内部には、前記棚板に邪魔されない収納すべき空間部を造作しなければならなかった。しかしながら、垂直に配置される棚板が邪魔するため、物品の取り出しがスムーズには行えなかった。また、重量が大きな物品は収納棚への収納や取出しが楽に行えるという観点から下方の収納棚に収納することが好ましいという要求があった。
【０００６】
本考案は上記従来の欠点を解決するためになされ、一定の収納スペースを有効活用し、物品の大きさ、形状、重量、使用頻度、季節に応じて整理整頓が容易かつ確実に収納が行えるとともに物品の出し入れが円滑かつ確実に行え、また奧に収納された物品の所在の確認が容易に行える物品収納棚を提供することを目的とする。
【課題を解決するための手段】
【０００７】
本考案の請求項１に記載の考案は、側板間、または前記側板と仕切板との間に架設される数段の棚板のうち、同一高さの棚板が、その奥域方向に手前側および奥側に分割して形成され、該手前側および奥側の棚板が、それぞれ係止手段により着脱可能に構成されていることを特徴とする。
【０００８】
また、本考案の請求項２に記載の考案は、請求項１において、同一高さの前記棚板が、手前側および奥側の何れか一側、或いは手前側および奥側の全てが取外されるように構成されていることを特徴とする。
【考案の効果】
【０００９】
本考案の請求項１に記載の考案によれば、側板間、または前記側板と仕切板との間に架設される数段の棚板のうち、同一高さの棚板が、その奥域方向に手前側および奥側に分割して形成され、該手前側および奥側の棚板が、それぞれ係止手段により着脱可能に構成されているので、例えば物品の大きさ、すなわち、大きい物品や背の高い物品と、小さい物品や背が低い物品とを収納するには、当該物品が収納される空間に配置される手前側の棚板および奧側の全ての棚板を側板間、または前記側板と仕切板との間から外すか、または前記空間内の奧側の棚板を残し、手前側の棚板を取り外すことにより解放された空間に大きい物品や背の高い所望の物品を収納するとともに、残された奧側の棚板に小さい物品や背が低い物品を収納する。こうすることにより、手前側に解放された空間に収納された大きい物品や背の高い所望の物品を容易に取り出して使用の途に供することが出来、物品の出し入れが容易に行え、また、残存した奧の収納棚に載置されている小さい物品や背が低い物品を外部から容易かつ確実に確認し、探し出すことができる。また、使用頻度の高い物品や季節の物品を奧から手前、または手前から奧への入れ替え作業を行うのには、手前側の棚板に載置される物品と、奧側に載置される物品とを棚板毎、入れ替えることにより、入れ替え作業が迅速かつ確実に行える等、一定の収納スペースを有効活用し、整理整頓が整然と行える。
【００１０】
また、本考案の請求項２に記載の考案によれば、請求項１において、同一高さの前記棚板が、手前側および奥側の何れか一側、或いは手前側および奥側の全てが取外されるように構成されているので、例えば物品の大きさ、すなわち、大きい物品や背の高い物品と、小さい物品や背が低い物品とを収納するには、当該物品が収納される空間に配置される手前側の棚板および奧側の全ての棚板を側板間、または前記側板と仕切板との間から取外すか、または前記空間内の奧側の棚板を残し、手前側の棚板を所望枚数取外すことにより解放された空間に大きい物品や背の高い所望の物品を収納するとともに、残された奧側の棚板に小さい物品や背が低い物品を収納する。こうすることにより、手前側に解放された空間に収納された大きい物品や背の高い所望の物品を容易に取り出して使用の途に供することが出来、物品の出し入れが容易に行え、また、残存した奧の収納棚に載置されている小さい物品や背が低い物品を容易かつ確実に確認し、探し出すことができる。また、使用頻度の高い物品や季節の物品を奧から手前、または手前から奧への入れ替え作業を行うのには、手前側の棚板に載置される物品と、奧側に載置される物品とを棚板毎、入れ替えることにより、入れ替え作業が迅速かつ確実に行える等、一定の収納スペースを有効活用し、整理整頓が整然と行える。
【図面の簡単な説明】
【００１１】
【図１】図１は本考案の物品収納棚の一実施形態を示す正面図である。
【図２】図２は同じく本考案の物品収納棚の棚板を側板および仕切板に係止する係止手段の一例を示す拡大断面図である。
【図３】図３は同じく本実施形態の物品収納棚に物品を収納した使用状態の一例を示す断面図である。
【図４】図４は同じく本実施形態の物品収納棚に物品を収納した使用状態の第２例を示す断面図である。
【図５】図５は同じく本実施形態の物品収納棚に物品を収納した使用状態の第３例を示す断面図である。
【考案を実施するための形態】
【００１２】
以下、図面に従って本考案の実施の最良の形態により、本考案の詳細を説明する。
【００１３】
本実施形態は、図１に示すように側板２,２間、または前記側板２と仕切板３との間に架設される数段の棚板１・・・のうち、同一高さの棚板１が、その奥域方向Ｗに複数枚、本実施形態１では、手前側および奥側の２枚の棚板１Ａ,１Ｂに分割して形成され、該手前側および奥側の棚板１Ａ,１Ｂが、それぞれ係止手段４により着脱可能に構成されていることを特徴とする。
【００１４】
前記係止手段４としては、図示する本実施形態では、例えば側板２,２の対向する板面にそれぞれ複数個のダボ穴５a・・・が水平に配列され、各棚板１Ａ,１Ｂの左右の木端にはダボ穴５ｂ・・・が長手方向にそれぞれ形成され、一端を前記ダボ穴５ａ・・・に着脱可能に植立されたダボピン６の他端が、対応する棚板１Ａ,１Ｂの前記ダボ穴５ｂ・・・に係合され、ダボピン６の植設位置を変化させることにより前記棚板１Ａ,１Ｂが水平に配置されるものが使用されるが、これに限ることなく、例えば図には示さない取付金具を用いて前記棚板１Ａ,１Ｂを側板２,２間、または前記側板２と仕切板３との間に架設させてもよい。
【００１５】
Ａは本実施形態の物品収納棚に収容される物品であり、この物品Ａは日用品、身回り品等が挙げられ、物品Ａの大きさ、形状が大きく、下段に位置する棚板１Ａ,１Ｂと上段に位置する棚板１Ａ,１Ｂとの通常の空間Ｋでは収納することができない大きなもの、例えば、図１および図３に示されるように使用頻度が頻繁な掃除機、また、レジャー用具としてゴルフクラブのキャリーバッグ、釣り竿やバット等が挙げられる。また、季節に応じて、例えば夏期に使用される物品Ａとしては、衣類や例えば図４に示されるような扇風機が挙げられる。また、重量が大きな物品Ａとして例えば廃棄される新聞紙や雑誌、ペットボトル飲料が挙げられる。
【００１６】
図１において、７,７は前記側板２,２の前面に開閉可能に設けられた扉であり、この扉７,７の裏面にはフローリングワイパー、モップ、はたき、ブラシ等の小物を吊り下げるためのフック８が複数個設けられている。
【００１７】
本考案の物品収納棚の実施形態１は以上の構成からなるので、例えば物品の大きさ、例えば下段に位置する棚板１Ａ,１Ｂと上段に位置する棚板１Ａ,１Ｂとの間の通常の空間Ｋでは収納することができない大きなものや長尺物、例えば、図１および図３に示されるように使用頻度が頻繁な掃除機、また、図には示さないがレジャー用具としてゴルフクラブのキャリーバッグ、釣り竿やバット等を収納するのには、当該物品Ａが収納される空間Ｋに配置されている手前側の棚板１Ａおよび奧側の全ての棚板１Ｂを側板２,２間、または前記側板２と仕切板３との間から取外すことにより大きな空間Ｋ’に拡張するか、または前記空間Ｋ内の奧側の棚板１Ｂを残し、手前側の棚板１Ａを取外すことにより解放された大きな空間Ｋ’に大きい物品Ａや背の高い所望の物品Ａを収納するとともに、残された奧側の棚板１Ｂに小さい物品Ａや背が低い物品Ａを収納する。
【００１８】
こうすることにより、手前側に解放された空間Ｋ’に収納された掃除機、またレジャー用具としてゴルフクラブのキャリーバッグ、釣り竿やバット等のような大きい物品Ａや背の高い所望の物品Ａを容易に取り出して使用の途に供することが出来、特許文献１に記載された従来の収納棚のように、各棚板の左右の木端に設けられた案内溝内に摺動自在に係合されているダボピンを案内溝内において摺動させることにより幅方向に単一部材により構成されている棚板を垂直に配置して収納棚の内部に、収納すべき空間部を造作することにより、垂直に配置される棚板が邪魔し、棚板が物品の取り出しがスムーズに行えなかったのとは異なり、物品Ａの出し入れが容易に行え、また、残存した奧の収納棚１Ｂに載置されている小さい物品Ａや背が低い物品Ａを容易かつ確実に確認し、探し出すことができる。
【００１９】
また、使用頻度の高い物品Ａや季節の物品Ａを奧から手前、または手前から奧への入れ替え作業を行うのには、手前側の棚板１Ａに載置される物品Ａと、奧側に載置される物品Ａとを手前側の棚板１Ａまたは奥側の棚板１Ｂ毎、入れ替えることにより、入れ替え作業が迅速かつ確実に行える等、一定の収納スペースＳを有効活用し、整理整頓が整然と行える。
【００２０】
図４および図５では、手前側の棚板１Ａに使用頻度が煩瑣な物品Ａが収納され、且つ同一高さに位置する奥側の棚板１Ｂには使用頻度が少ない物品Ａが収納される。また、図４および図５では、重量が大きく、外形が大きな物品Ａ、例えば衣装ケースは図４においては、最下段に、図５においては下から２段目の手前側の棚板１Ａと、同一高さの奥側の棚板１Ｂとに、また、廃棄される新聞紙や雑誌のように重量が大きな物品Ａは、図５においては最下段に収納されることにより取出し時の移送、運搬を容易にしている。
【００２１】
また、図１に示すように、左右の扉７,７の裏面に設けられた複数個のフック８にはフローリングワイパー、モップ、はたき、ブラシ等の小物を吊り下げることができるので、一瞥して物品Ａの確認が行え、使用に便利であり、整理・整頓が確実に行える。
【００２２】
上記本実施形態は、図１に示すように側板２,２間、または前記側板２と仕切板３との間に架設される数段の棚板１・・・のうち、同一高さの棚板１が、その奥域方向Ｗに手前側または奥側に２枚の棚板１Ａ,１Ｂが係止手段４により着脱可能に設けられているが、これは代表的例示であり、同一高さの棚板１の設置数は、その奥域方向Ｗに手前側または奥側に３枚以上の棚板を係止手段４により着脱可能に係止させることにより、同一高さの手前側または奥側の棚板を物品Ａの大きさ、形状、重量、使用頻度、季節に応じて空間Ｋを変化させて収納することも本発明の適用範囲である。
【産業上の利用可能性】
【００２３】
本考案は一定の収納スペースを有効活用し、物品の大きさ、形状、重量、使用頻度、季節に応じて整理整頓が容易かつ確実に収納が行え、また奧に収納された物品の所在の確認が容易に行えるという用途・機能に適する。
【符号の説明】
【００２４】
１      棚板
１Ａ    棚板
１Ｂ    棚板
２      側板
３      仕切板
４      係止手段
Ａ      物品
Ｋ      空間
Ｋ’    空間      
Ｓ      収容空間
Ｗ      奥域方向
【図１】
0003167560.tif 000003
【図２】
0003167560.tif 000004
【図３】
0003167560.tif 000005
【図４】
0003167560.tif 000006
【図５】
0003167560.tif 000007